(57)【要約】【課題】  判別誤りの少いディスク判別装置を提供する。【解決手段】  ピックアップとディスクの間の距離を一定速度で掃引し（ステップ１０００）、表面層から記録層までの層間隔を経過時間Ｔとして計測する（ステップ１００２，１００４，１００６）。経過時間ＴがＤＶＤ判定閾値（ステップ１０１０）とＣＤ判定閾値（ステップ１０１４）の間のグレーゾーンにあるときはディスクを一定時間回転し（ステップ１１００）、ピックアップ位置決めを行って（ステップ１１０２）、層間隔の測定を再度行う。【選択図】      図３
2005317116.tif 000002
【特許請求の範囲】
【請求項１】
ディスクから光ピックアップまでの距離を一定速度で掃引することによりディスクの表面層から最初の記録層までの層間隔を計測する層間隔計測手段と、
該層間隔を第１の閾値および該第１の閾値よりも大きい第２の閾値と比較してディスクの種類を判定する判定手段と、
該層間隔が第１の閾値と第２の閾値の間であるとき、層間隔計測手段による層間隔の計測を繰り返し実行させる繰り返し手段とを具備するディスク判別装置。
【請求項２】
前記層間隔が第１の閾値と第２の閾値の間であるとき、ディスクを一定時間回転させるディスクキック手段をさらに具備する請求項１記載のディスク判別装置。
【請求項３】
前記層間隔が第１の閾値と第２の閾値の間であるとき、ディスクの半径方向における光ピックアップの位置決め動作を実行する手段をさらに具備する請求項１または２記載のディスク判別装置。
【請求項４】
前記層間隔が前記第１の閾値よりも小さいとき、前記層間隔計測手段による計測後所定の制限時間内で第２の記録層の検出を試みる記録層検出手段をさらに具備する請求項１〜３のいずれか１項記載のディスク判別装置。
【請求項５】
前記制限時間は、前記層間隔に応じて定められる時間である請求項４記載のディスク判別装置。
【請求項６】
前記第１および第２の閾値はディスクの種類ごとの最新の層間隔計測結果に応じて定められる請求項１〜５のいずれか１項記載のディスク判別装置。
【請求項７】
前記第１および第２の閾値はディスクの種類ごとの最新の複数の層間隔計測結果の平均値に応じて定められる請求項１〜５のいずれか１項記載のディスク判別装置。
【請求項８】
ディスクから光ピックアップまでの距離を一定速度で掃引することによりディスクの表面層から第１の記録層までの層間隔を計測する層間隔計測手段と、
該層間隔計測手段が計測した層間隔が所定の閾値以下であるとき、該層間隔計測手段による計測後所定の制限時間内で第２の記録層の検出を試みる手段とを具備するディスク判別装置。
【請求項９】
前記制限時間は、前記層間隔に応じて定められる時間である請求項８記載のディスク判別装置。
【請求項１０】
前記所定の閾値はディスクの種類ごとの最新の層間隔計測結果に応じて定められる請求項８または９記載のディスク判別装置。
【請求項１１】
前記所定の閾値はディスクの種類ごとの最新の複数の層間隔計測結果の平均値に応じて定められる請求項８または９記載のディスク判別装置。
【請求項１２】
ディスクから光ピックアップまでの距離を一定速度で掃引することによりディスクの表面層または記録層の数を検出する層数検出手段と、
該層数検出手段が３つの層を検出するかまたは１つの層の検出から所定時間経過したら、層数検出手段による検出を停止する手段とを具備するディスク判別装置。
【請求項１３】
ディスクの記録層からの反射光量を検出する手段と、
検出された反射光量を判別閾値と比較することによりディスクの種類を判別する手段と、
検出された反射光量が判別閾値以下の下限値以下であるとき反射光量の検出を再度試みる手段とを具備するディスク判別装置。
【発明の詳細な説明】
【技術分野】
【０００１】
本発明は、ドライブに挿着された光ディスクの種類を判別するディスク判別装置に関する。
【背景技術】
【０００２】
特開平２０００−３１１４２７号公報には、ＣＤ（Compact Disk）とＤＶＤ（Digital Versatile Disc）とでは表面から記録層までの距離（層間隔）が異なることを利用して、光ピックアップからディスクまでの距離を一定速度で掃引した時の表面からの反射信号の出現と記録層からの反射信号の出現との時間差により層間隔を測定し、それを閾値と比較することによってディスクがＣＤ（ＣＤ，ＣＤ−Ｒ，ＣＤ−ＲＷ）であるかＤＶＤ（ＤＶＤ１層、ＤＶＤ２層、ＤＶＤ−Ｒ、ＤＶＤ−ＲＷ）であるかを判別することが記載されている。
【０００３】
この手法においては、特開平２０００−２６０１０９号公報に記載があるように、ピックアップを移動するアクチュエータの感度にバラツキがあると制御電圧の変化に対する位置の変化にバラツキを生じるため判別を誤る恐れがあるという問題がある。またディスクの面振れ、振動の発生などによっても判別を誤る恐れがある。
【０００４】
また近年、ＤＶＤ層と物理的な仕様は同じであるがデータ形式の異なるＳＡＣＤ（Super Audio CD）層をＣＤ層とともに１枚のディスク上に形成したハイブリッドディスクも使われるようになってきており、これと、ＣＤやＤＶＤとの判別が可能であることも望まれている。
【０００５】
【特許文献１】特開２０００−２６０１０９号公報
【特許文献２】特開２０００−３１１４２７号公報
【発明の開示】
【発明が解決しようとする課題】
【０００６】
したがって本発明の第１の目的は、判別誤りの少ないディスク判別装置を提供することにある。
【０００７】
本発明の第２の目的は、ハイブリッドディスクの判別が可能なディスク判別装置を提供することにある。
【課題を解決するための手段】
【０００８】
前述の第１の目的は、ディスクから光ピックアップまでの距離を一定速度で掃引することによりディスクの表面層から最初の記録層までの層間隔を計測する層間隔計測手段と、該層間隔を第１の閾値および該第１の閾値よりも大きい第２の閾値と比較してディスクの種類を判定する判定手段と、該層間隔が第１の閾値と第２の閾値の間であるとき、層間隔計測手段による層間隔の計測を繰り返し実行させる繰り返し手段とを具備するディスク判別装置によって達成される。
【０００９】
前述の第２の目的は、ディスクから光ピックアップまでの距離を一定速度で掃引することによりディスクの表面層から第１の記録層までの層間隔を計測する層間隔計測手段と、該層間隔計測手段が計測した層間隔が所定の閾値以下であるとき、該層間隔計測手段による計測後所定の制限時間内で第２の記録層の検出を試みる手段とを具備するディスク判別装置によって達成される。
【００１０】
前述の第２の目的は、ディスクから光ピックアップまでの距離を一定速度で掃引することによりディスクの表面層または記録層の数を検出する層数検出手段と、該層数検出手段が３つの層を検出するかまたは１つの層の検出から所定時間経過したら、層数検出手段による検出を停止する手段とを具備するディスク判別装置によっても達成される。
【００１１】
前述の第１の目的は、ディスクの記録層からの反射光量を検出する手段と、検出された反射光量を判別閾値と比較することによりディスクの種類を判別する手段と、検出された反射光量が判別閾値以下の下限値以下であるとき反射光量の検出を再度試みる手段とを具備するディスク判別装置によっても達成される。
【発明を実施するための最良の形態】
【００１２】
図１は前述の特開２０００−３１１４２７号公報の図１に記載されたディスク判別装置の構成を示す。
【００１３】
図１において、１は光ピックアップであり、光ピックアップ１から光ディスク２にレーザ光が照射され、ディスクの表面及び記録面から反射された反射光は光ピックアップ１で検出され、信号処理回路３に入力される。信号処理回路３でフォーカス誤差信号、トラッキング誤差信号、光ディスク２の表面から反射された反射信号等が生成され、マイコン４に供給される。マイコン４からは光ピックアップ制御信号、レーザ切替信号、レーザのオン、オフ制御信号ディスク判別信号等が生成され、駆動回路５に供給される。駆動回路５によって、ＣＤディスク用レーザとＤＶＤディスク用レーザの切り替え、フォーカス制御、トラッキング制御等が行われる。また、信号処理回路３から音声信号や映像信号等の再生信号が信号再生回路６に供給され、音声信号及び映像信号が再生される。
【００１４】
図２は、本発明の第１の実施形態に係り、マイコン４におけるディスク判別処理のフローチャートである。図２において、光ピックアップ１とディスク２の間の距離の掃引を開始し（ステップ１０００）、ディスク２の表面層からの反射のピークが検出されたら（ステップ１００２）、タイマーＴをゼロにリセットする（ステップ１００４）。その後、記録層からの反射のピークが検出されたら（ステップ１００６）掃引を停止する（ステップ１００８）。このときのタイマーＴの値が表面層から最初の記録層までの層間隔に対応するから、これをＤＶＤ判別のための閾値と比較する（ステップ１０１０）。ＴがＤＶＤ閾値以下であれば、ディスク２はＤＶＤであると判定してＤＶＤ再生のための設定を行う（ステップ１０１２）。ＴがＤＶＤ閾値以上であれば次にＣＤ判別のための閾値と比較する（ステップ１０１４）。ＴがＣＤ閾値以上であれば、ディスク２はＣＤであると判定してＣＤ再生のための設定を行う（１０１６）。
【００１５】
Ｔの値がＤＶＤ閾値とＣＤ閾値の間のグレーゾーンにあるときは、ステップ１０００に戻って再度層間隔の測定から繰り返す。これにより振動などの一時的な現象による判別の誤りを回避することができる。
【００１６】
図３は図２の処理の変形のフローチャートである。図３において、掃引開始から、ＤＶＤまたはＣＤと判定されるまでの処理（ステップ１０００〜１０１６）は図２と同じである。ディスク判別の際にはディスクは静止しているが、Ｔの値がＤＶＤ閾値とＣＤ閾値の間のグレーゾーンにあるとき、再度層間隔の測定をする前に一定時間ディスクを回転（ディスクキック）させる（ステップ１１００）。これによりディスクの静止位置が変わるので、ディスクに面振れがあっても判別に適切な位置でディスク判別を行うことができる。ディスクキックの処理に代えて、或いはこれとともに、ピックアップをディスクの半径方向に動かして原点検知を行ってから判別位置までピックアップを移動する（ステップ１１０２）。これにより、振動などでピックアップがディスク判別に不適切な位置へ動いたときでもこれを修正することができる。
【００１７】
図４はハイブリッドディスクの判別が可能なディスク判別処理のフローチャートである。表面層から最初の記録層までの層間隔に相当するタイマーＴの値を得るステップ１１００〜１１０６の処理は図２および図３のステップ１０００〜１００６の処理と同じである。そして、掃引を停止することなくタイマーＴの値の判別を行い（ステップ１１０８）、Ｔの値がＣＤ閾値より大きいと判定されるときは、ディスク２はＣＤであると判定して掃引を停止し（ステップ１１２４）、ＣＤ読み出しのための設定を行う（ステップ１１２６）。ＣＤ閾値より小さい、すなわちＤＶＤ層またはＳＡＣＤ層が検出されたと判定されるときは、タイマーＴの値をゼロにリセットして（ステップ１１１０）掃引を続行する。Ｔの値が所定の制限時間に達するまでに（ステップ１１１２）第２の記録層からの反射信号のピークが検出されたときは（ステップ１１１４）、ディスク２はハイブリッドディスクであると判定して掃引を停止して（ステップ１１１６）、ハイブリッドディスク読み出しのための設定を行う（ステップ１１１８）。第２の記録層が検出されることなく（ステップ１１１４）Ｔの値が制限時間を超えたときは（ステップ１１１２）、ディスク２はＤＶＤであると判定して掃引を停止し（ステップ１１２０）、ＤＶＤ読み出し用の設定を行う（ステップ１１２２）。
【００１８】
ステップ１１１２におけるＴの制限時間は、ハイブリッドディスクにおけるＳＡＣＤ層とＣＤ層の層間隔と掃引速度を考慮した時間に所定のマージンを付加した時間に設定される。ハイブリッドディスクにおいてＳＡＣＤ層とＣＤ層の間の層間隔が表面からＳＡＣＤ層までの距離にほぼ等しいことを考慮して、この制限時間を第１層検出時（ステップ１１０６）におけるタイマーＴの値にマージンを付加した時間とすることもできる。こうすることにより、アクチュエータ感度のバラツキが吸収された精度の良い判定をすることができる。
【００１９】
表面から第１記録層までの層間隔の判定において単一の判定閾値が使用されているが、図２および図３で説明したように、２つの閾値を用いて判定し、層間隔が２つの閾値の間であるときは再度測定のやり直しをするようにしても良い。
【００２０】
図２および図３のステップ１０１０、１０１４および図４のステップ１１０８における判定閾値は層間隔の公称値と掃引速度とから定められる値が用いられるが、ＣＤおよびＤＶＤのそれぞれについての最新のタイマーＴの測定値または最新の複数の測定値の平均値から計算した値を用いることもできる。例えば単一の閾値を用いる場合には、ＣＤと判定されたときの最新の測定値またはその複数の測定値の平均値とＤＶＤと判定されたときの最新の測定値またはその複数の測定値の平均値との中間の値を用い、２つの閾値を用いる場合には、求められた中間値を中心とした所定の幅の範囲がグレーゾーンになるように２つの閾値を決定する。これにより、アクチュエータ感度のバラツキが吸収された精度の良い判定が可能となる。
【００２１】
図５はハイブリッドディスクの判別が可能なディスク判定処理の第２の例を示すフローチャートである。この例では、掃引開始から表面層を含めて３つの層が検出されるかまたは表面層検出から所定の制限時間が経過するまで掃引を行い、３つの層が検出されたらハイブリッドディスクと判定し、３つの層が検出される前に制限時間となったらそれ以外のＣＤまたはＤＶＤと判定する。
【００２２】
すなわち、掃引開始後（ステップ１２００）、最初のピークが検出されたら（ステップ１２０２）、タイマーＴの値をゼロにリセットするとともに“層数”に“１”を設定する（ステップ１２０４）。その後、Ｔの値が制限時間を超えるか（ステップ１２０６）、層数が“３”になるまで（ステップ１２１２）、記録層からの反射信号のピークの検出を続け（ステップ１２０８）、ピークが検出されたら層数を１だけ増加する（ステップ１２１０）。層数が３に達したら、掃引を停止し（ステップ１２１４）、ハイブリッドディスクであると判定する。層数が３に達するまでにタイマーＴの値が制限時間に達したら、掃引を停止して（ステップ１２１８）、ＣＤまたはＤＶＤと判定する（ステップ１２２０）。
【００２３】
この様な、表面層検出後の経過時間に制限を設けて記録層の検出の有無に関わらず掃引を停止する処理を、図２および図３を参照して説明した判別処理に追加することもできる。
【００２４】
以上説明した判別処理によりディスク２がＣＤであると判別されるとピックアップ１のレーザとしてＣＤ用レーザが選択されディスク２を回転させて反射光量を測定することにより、ディスク２が高反射のディスク（ＣＤ，ＣＤ−Ｒ）であるか低反射のディスク（ＣＤ−ＲＷ）であるかが判別され、判別結果に応じてサーボ回路のゲインが設定される。ＤＶＤと判別されたときも同様に、ＤＶＤ用レーザが選択されディスクを回転させて反射光量を測定することにより、ディスク２が高反射のディスク（ＤＶＤ−Ｒ，１層ＤＶＤ）であるか低反射のディスク（ＤＶＤ−ＲＷ，２層ＤＶＤ）であるかが判別され、判別結果に応じてサーボ回路のゲインが設定される。
【００２５】
図６は本発明による反射光量判別処理の一例のフローチャートである。図６において、反射光量が測定（ステップ１３００）され、測定された反射光量が下限値以下であるとき（ステップ１３０２）、再度反射光量の測定が行なわれる。測定された反射光量が下限値以上のときに初めて、閾値との比較が行なわれ（ステップ１３０４）、測定された反射光量が閾値を超えているとき高反射のディスクであると判別され（ステップ１３０６）、閾値以下であるとき低反射のディスクであると判別される（ステップ１３０８）。
【００２６】
ディスクの汚れなどにより反射光量の判定の誤りを生じる場合に、低反射の側に誤りを生じ高反射の側に誤ることはないと考えられるので、判定閾値よりも低い値に設定された下限値を下回ったとき、再度反射光量の測定を行うようにすることで、誤りの少ないディスク判別を行うことができる。
【図面の簡単な説明】
【００２７】
【図１】本発明が適用される光ディスク再生装置の一例の構成を示すブロック図である。
【図２】本発明のディスク判別処理の第１の側を示すフローチャートである。
【図３】本発明のディスク判別処理の第２の例を示すフローチャートである。
【図４】ハイブリッドディスクの判別が可能なディスク判別処理の第１の例を示すフローチャートである。
【図５】ハイブリッドディスクの判別が可能なディスク判別処理の第２の例を示すフローチャートである。
【図６】本発明に係る、反射光量によるディスク判別処理の一例のフローチャートである。
【符号の説明】
【００２８】
１…ピックアップ
２…光ディスク
３…信号処理回路
４…マイコン
５…駆動回路
６…信号再生回路
【図１】
2005317116.tif 000003
【図２】
2005317116.tif 000004
【図３】
2005317116.tif 000005
【図４】
2005317116.tif 000006
【図５】
2005317116.tif 000007
【図６】
2005317116.tif 000008